(57)【特許請求の範囲】
【請求項１】
上方に開放する樹脂製の下ケースの幅方向及び上下方向に向けて延び且つ前記下ケース内を前部の集塵室用凹部と後部の送風機室用凹部とに区画する隔壁が設けられ、前記隔壁に前記両凹部を連通させる多数の通気穴が設けられていると共に、前記集塵室用凹部が集塵室カバーで開閉可能に閉成され、前記送風機室用凹部が上ケースで閉成され、前記隔壁と上ケースとの間にシール部材が介装された電気掃除機において、前記隔壁は左右に間隔をおいた左隔壁部及び右隔壁部と前記両隔壁部間を覆うフィルタ支持板から構成されていると共に、前記フィルタ支持板には前記左隔壁部及び右隔壁部の上部を支持するアーム部がそれぞれ設けられ、前記アーム部は前記下ケースの左右の側壁まで延設されていることを特徴とする電気掃除機。
【発明の詳細な説明】
【０００１】
【産業上の利用分野】
この発明は、前側の集塵室用凹部と後側の送風機室用凹部とを区画する隔壁が上方に開放する下ケースに設けられていると共に、この隔壁に前記集塵室用凹部と送風機室用凹部壁連通させる通気穴が設けられた電気掃除機に関するものである。
【０００２】
【従来の技術】
この種の電気掃除機としては、上方に開放する樹脂製の下ケースの幅方向に延び且つ前記下ケース内を前部の集塵室用凹部と後部の送風機室用凹部とに区画する隔壁が設けられ、前記隔壁に前記両凹部を連通させる多数の通気穴が設けられ、前記集塵室用凹部内に配設した二次フィルターが前記多数の通気穴を覆うように前記隔壁に保持されていると共に、前記集塵室用凹部が集塵室カバーで開閉可能に閉成され、前記送風機室用凹部が上ケースで閉成され、前記隔壁と上ケースとの間にシール部材が介装されたものが考えられている。
【０００３】
この様な上ケース，下ケース，集塵室カバー等の製品は射出成形により形成されている。この射出成形では、通常、複数の成形用の金型を型締めすることにより、前記複数の金型間に製品用のキャビティを形成させて、溶融樹脂を前記キャビティに充填した後、金型に設けた冷却水通路に冷却水を流してキャビティ内の溶融樹脂を固化（凝固）させ、次に、前記複数の金型を型開きすることにより、前記キャビティの形状に形成される樹脂の射出成形製品を取り出す様にしているのが普通である。
【０００４】
【発明が解決しようとする課題】
ところで、上述した下ケースの成形金型は、基本的には上金型と下金型とで構成される。しかし、下ケースの隔壁には前後に開口する通気穴が設けられているために、上述の上金型と下金型の外に、前記通気穴を形成するためのスライド機構を上金型に設ける必要があり、上金型が複雑になるという問題があった。
【０００５】
しかも、このスライド機構を設けることで、このスライド機構を設けた部分に冷却水通路を設けることができず、隔壁の部分の固化にかかる時間が長くなり、一つの製品を成形するサイクルが長くなるという問題があった。
【０００６】
そこで、この発明は、この様なスライド機構を設けていない金型で下ケースを形成可能な電気掃除機を提供することを目的とするものである。
【０００７】
【課題を解決するための手段】
この目的を達成するために、請求項１の発明は、上方に開放する樹脂製の下ケースの幅方向及び上下方向に向けて延び且つ前記下ケース内を前部の集塵室用凹部と後部の送風機室用凹部とに区画する隔壁が設けられ、前記隔壁に前記両凹部を連通させる多数の通気穴が設けられていると共に、前記集塵室用凹部が集塵室カバーで開閉可能に閉成され、前記送風機室用凹部が上ケースで閉成され、前記隔壁と上ケースとの間にシール部材が介装された電気掃除機において、前記隔壁は左右に間隔をおいた左隔壁部及び右隔壁部と前記両隔壁部間を覆うフィルタ支持板から構成されていると共に、前記フィルタ支持板には前記左隔壁部及び右隔壁部の上部を支持するアーム部がそれぞれ設けられ、前記アーム部は前記下ケースの左右の側壁まで延設されている電気掃除機としたことを特徴とする。
【００１２】
【発明の実施の形態】
以下、この発明の実施の形態を図面に基づいて説明する。
【００１３】
図１は電気掃除機の掃除機本体を示したもので、１は掃除機本体のケース本体である。このケース本体１は、上方に開放する下ケース２、下ケース２の前部上方に配設された集塵室カバー３、下ケース２の後部上方に配設された上ケース４を有する。
【００１４】
この下ケース２は、ポリプロピレン等の合成樹脂を成形金型で射出成形することにより形成されている。２ａは下ケース２の底壁（図３，図５，図６，図７，図９等参照）、２ｂ，２ｃは下ケース２の側壁（図２，図４，図５，図７，図８等参照）、２ｄは下ケース２の前壁、２ｅは前壁２ｄに設けられた集塵ホース接続口である。この下ケース２の前後方向の略中央には、その幅方向及び上下方向に向けて延びる隔壁５が設けられている。この隔壁５は、下ケース２内を前部の集塵室用凹部６と後部の送風機室用凹部７に区画している。尚、図５，図６において、２ｆ，２ｇは、側壁２ｂ，２ｃの集塵室用凹部６に対応する部分に形成されたシール受溝である。
【００１５】
この集塵室用凹部６は集塵室カバー４で開閉可能に閉成され、送風機室用凹部７は上カケース３で閉成されている。そして、集塵室カバー３と集塵室用凹部６との間には集塵室８が形成され、上ケース４と送風機室用凹部７との間には送風機室９が形成され、送風機室９内には電動送風機１０が配設されている。この電動送風機１０の吸込側端部１０ａは筒状の弾性シール部材Ｓを介して下ケース２と上ケース４との間に保持されている。Ｓ１は弾性シール部材Ｓの前端に内方に向けて突設された設けられたフランジである。
【００１６】
上述の隔壁５は、左右に分割形成された左隔壁部１１及び右隔壁部１２と、この隔壁部１１，１２の下部前面間に位置する下リブ１３と、集塵室８内に配設される板状の二次フィルターを支持させる格子状のフィルタ支持板（格子板）１４から構成されている。尚、集塵室８には、集塵ホース接続口２ｅに接続される集塵ホースの端部（図示せず）に連通される紙パックフィルター等の一次フィルタも配設される。
【００１７】
この左隔壁部１１は底壁２ａ及び側壁２ｂと一体に形成され、右隔壁部１２は底壁２ａ及び側壁２ｃと一体に形成され、下リブ１３は隔壁部１１，１２の下部及び底壁２ａに一体に形成されている。しかも、この隔壁部１１，１２と下リブ１３との間には、図６に示した様に切欠空間１５が形成されている。
【００１８】
また、左隔壁部１１の前面（集塵室側の面）には底壁２ａから上方に向けて延びる補強リブ１６が左右に間隔をおいて一体に形成され、右隔壁部１２の前面には底壁２ａから上方に向けて延びる補強リブ１７が左右に間隔をおいて一体に形成されている。この補強リブ１６，１７は隔壁部１１，１２の上端部近傍まで延びていると共に、補強リブ１６，１７の上端部には図３(a)，図５(b)，図７，図８に示した如く、上方に開放するアーム係止用の切欠１６ａ，１７ａがそれぞれ形成されている。
【００１９】
また、底壁２ａには、下リブ１３の直後方に位置させたリブ１８が突設されていると共に、リブ１８より後方に位置させたシール壁１９が一体に設けられている。このリブ１８及びシール壁１９は下リブ１３と平行に左右に延びている。しかも、シール壁１９は、図９に示した様に、左右の側壁部１９ａ，１９ｂと、この側壁部１９ａ，１９ｂの下部間を連設する連設壁部１９ｃから正面形状が略Ｕ字状に形成されている。そして、このシール壁１９に弾性シール部材ＳのフランジＳ１が弾接させられている。しかも、このシール壁１９の側縁は隔壁部１１，１２の左側縁に前後に延びる壁部Ｗ１，Ｗ２で連設されている。２０は、リブ１３，１８間に形成された係合凹部である。また、フィルタ支持板１４の下端部は係合凹部２０に嵌着されている。
【００２０】
上述したフィルタ支持板１４は、下ケース２の樹脂材料とは異なるＡＢＳ樹脂等を成形金型で射出成形することにより、下ケース２とは別体に形成したものである。この様にフィルタ支持板１４にＡＢＳ樹脂を用いることで、フィルタ支持板１４はポリプロピレン製の下ケース２より硬質で剛性があると共に下ケース２より高い精度で形成することができる。
【００２１】
このフィルタ支持板１４の左右両側の上端部には、隔壁部１１，１２の上部を支持するアーム部２１，２２がそれぞれ設けられている。このアーム部２１，２２は、下ケース２の左右の側壁２ａ，２ｂまで延びている。しかも、アーム部２１，２２の下縁部には図５，図６，図１２に示した様に前面及び下端に開放する係合凹部２１ｃ，２２ｃが長手方向に間隔をおいて複数形成されている。この係合凹部２１ｃ，２２ｃを設けることにより、アーム部２１，２２には薄肉の係合板部２１ｄ，２２ｄが形成されている。そして、この係合板部２１ｄ，２２ｄが隔壁部１１，１２と補強リブ１６，１７の切欠１６ａ，１７ａとの間に係合保持されて、隔壁部１１，１２の上端部が前後方向に変形するのを阻止している。また、補強リブ１６，１７は係合凹部２１ｃ，２２ｃの部分でもアーム部２１，２２を下方から支持している。
【００２２】
このアーム部２１，２２の上縁部には断面形状がＬ字状で隔壁部１１，１２にそれぞれ臨む支持面２１ａ，２２ａがシール受部として形成され、この支持面２１ａ，２２ａと隔壁部１１，１２の上端部との間にはシール受溝２１ｂ，２２ｂが形成されている。尚、１４ａ，１４ｂは、フィルタ支持板１４の上端部に形成され且つシール受溝２１ｂ，２２ｂに連設されたシール受溝である。しかも、フィルタ支持板１４には、集塵室用凹部６と送風機室用凹部７とを連通させる多数の通気穴１４ｃが設けられている。
【００２３】
このシール受溝２１ｂ，２２ｂ，１４ａ，１４ｂにはゴム製のシール材２３が保持されている。このシール材２３は、集塵室用凹部６の上部開口端に沿って環状に形成されていて、側部が下ケース２のシール受溝２ｆ，２ｇに嵌着保持され、前端部が下ケース２の前壁２ｄに嵌着保持されている。
【００２４】
また、図１０に示した様に、フィルタ支持板１４の左右の側面１４ｄ，１４ｄは隔壁部１１，１２の切欠空間１５側端面に当接させられている。しかも、この側面１４ｄ，１４ｄには上下に延び且つ隔壁部１１，１２の切欠空間１５側の縁部後面に当接する係止突起２４，２４が形成され、フィルタ支持板１４の左右側縁の下部には後方に突出し且つシール壁１９の側壁部１９ａ，１９ｂに当接するシール壁変形阻止用の支持板部２５，２５が一体に形成され、フィルタ支持板１４の左側縁の上部には後方に突出し且つ上ケース４のシール壁４ａに当接するシール壁変形阻止用の支持板部２５´が一体に形成されている。尚、シール壁４ａはシール壁１９に対向して上ケース４に設けられている。また、２３ａは、シール部材２３と一体に設けられ且つシール壁１９，４ａ間に介装されたシール部である。
【００２５】
さらに、側面１４ｄ，１４ｄの下端部には傾斜案内部１４ｅ，１４ｅが設けられ、アーム部２１，２２には図６，図１１(a)に示した様に切欠空間１５側の補強リブ１６，１７に切欠空間１５側とは反対側から当接する係止突部２６，２７がそれぞれ設けられている。この係止突部２６，２７の下端部には、切欠空間１５側に位置させて傾斜案内部２６ａ，２７ａが形成されている。
【００２６】
次に、この様な構成の電気掃除機の各部品の組み付け及び各部の作用を説明する。
【００２７】
即ち、先ず、フィルタ支持板１４の下端部を壁部Ｗ１，Ｗ２間に挿入すると、フィルタ支持板１４の側面が壁部Ｗ１，Ｗ２により規制されて、フィルタ支持板１４の下端部が隔壁部１１，１２間に挿入される。この際、隔壁部１１，１２の上端部の間隔が下部間より狭い場合には、フィルタ支持板１４の傾斜案内部１４ｅ，１４ｅの作用により隔壁部１１，１２の間隔がフィルタ支持板１４の側面１４ｄ，１４ｄ間の幅に広げられる。この作用は、下ケース２の底壁２ａや側壁２ｂ，２ｃを弾性変形させながら行われる。しかも、フィルタ支持板１４の係止突起２４，２４が隔壁部１１，１２の後面に当接すると共に、フィルタ支持板１４の支持板部２５，２５がシール壁１９の側壁１９ａ，１９ｂにそれぞれ当接して、シール壁１９の側壁１９ａ，１９ｂを支持する。
【００２８】
この状態で、更にフィルタ支持板１４を押し下げると、フィルタ支持板１４の係止突部２６，２７が切欠空間１５側の補強リブ１６，１７に切欠空間１５とは反対側から当接する。この際、隔壁部１１，１２の上部間が下部間よりも広い場合には、係止突部２６，２７の傾斜案内部２６ａ，２７ａが隔壁部１１，１２の間隔を狭めるほうこうに切欠空間１５側の補強リブ１６，１７に当接して、隔壁部１１，１２の間隔が下部の間隔と同じとなるように矯正する。この作用も、下ケース２の底壁２ａや側壁２ｂ，２ｃを弾性変形させながら行われる。
【００２９】
そして、更にフィルタ支持板１４を下方に押し下げ、フィルタ支持板１４の下端部をリブ１３，１８間すなわち係合凹部２０に嵌着すると、アーム部２１，２２が補強リブ１６，１７の切欠１６ａ，１７ａに係合させられて、隔壁部１１，１２が前後方向に変形しないように、隔壁部１１，１２の上縁部を支持し補強する。
【００３０】
この補強は、フィルタ支持板１４とアーム部２１，２２により下ケース２の全幅にわたって行われるので、隔壁部１１，１２の上端部（上縁部）を全幅に渡って補強できると共に、下ケース２の側壁２ｂ，２ｃの補強を行うこともできる。この結果、隔壁部１１，１２を薄肉に形成できる
しかも、この状態では、フィルタ支持板１４のアーム部２１，２２の支持面（シール受部）２１ａ，２２ａと隔壁部１１，１２の上端部との間にシール受溝２１ｂ，２２ｂが形成されと共に、このシール受溝２１ｂ，２２ｂシール受溝１４ａ，１４ｂにそれぞれ連設される。この結果、隔壁部１１，１２を薄肉に形成しても、シール取付部としてのシール受部の幅を充分に確保できる。その上、隔壁部１１，１２は、補強リブ１６，１７で更に補強されているので、より薄肉にすることが可能である。
【００３１】
従って、この様に隔壁１１，１２を薄肉に形成できることで、隔壁部１１，１２を下ケース２に射出成形により形成する際に、下ケース２の底壁２ａの外面に隔壁部１１，１２に対応して大きなヒケによる凹部が形成されるのを回避できることになる。
【００３２】
また、フィルタ支持板１４を下ケース２とは別体に形成して下ケース２に組み付けているので、下ケース２のを射出成形用の成形金型に前後方向へのスライド機構を設ける必要がなく、成形金型の構造を簡単にできると共に、成形金型の隔壁部１１，１２を形成するキャビティの周囲にも冷却水通路を設けて、キャビティに溶融樹脂を充填後に、冷却水通路を介して隔壁部１１，１２に対応する部分も冷却することできる。この結果、下ケース２用の成形金型内のキャビティを全体的に冷却するようにできるので、射出成形サイクルを従来よりも短縮できる。
【００３３】
更に、上述のようにフィルタ支持板１４を下ケース２に組み付けた状態で、隔壁部１１，１２，アーム部２１，２２，フィルタ支持板１４の上端部を覆うゴム製のシール部材２３を設け、このシール部材２３をシール受溝２１ｂ，２２ｂ，１４ａ，１４ｂに嵌着保持させる。しかも、このシール材２３を、集塵室用凹部６の上部開口端に沿って下ケース２のシール受溝２ｆ，２ｇ及び下ケース２の前壁２ｄに嵌着保持させる。
【００３４】
この後、上ケース４で送風機室用凹部７の上部開放端を閉成して、上ケース１４を下ケース２に図示しない固定ネジで固定することにより、電動送風機１０が下ケース２と上ケース４との間に挟持されると共に、隔壁部１１，１２の上端部が上ケース４により支持される。この位置では、フィルタ支持板１４及びアーム部２１，２２により補強された隔壁部１１，１２が上ケース４と、下ケース２のリブ１３，１８間で保持されることになるので、フィルタ支持板１４は電動送風機１０の吸引負圧でシール壁１９が集塵室８側に変形するのを支持板部２５，２５を介して確実に阻止することになる。
【００３５】
この後、集塵室カバー３は集塵室８を開閉可能に上ケース４の前端部に取り付けられる。この取付構造は、周知の構造が採用できるので、詳細な説明は省略する。尚、フィルタ支持板１４は、集塵室８に配設される図示しない二次フィルターで閉成される。
【００３６】
【発明の効果】
以上説明したように、請求項１の発明は、上方に開放する樹脂製の下ケースの幅方向及び上下方向に向けて延び且つ前記下ケース内を前部の集塵室用凹部と後部の送風機室用凹部とに区画する隔壁が設けられ、前記隔壁に前記両凹部を連通させる多数の通気穴が設けられていると共に、前記集塵室用凹部が集塵室カバーで開閉可能に閉成され、前記送風機室用凹部が上ケースで閉成され、前記隔壁と上ケースとの間にシール部材が介装された電気掃除機において、前記隔壁は左右に間隔をおいた左隔壁部及び右隔壁部と前記両隔壁部間を覆うフィルタ支持板から構成されていると共に、前記フィルタ支持板には前記左隔壁部及び右隔壁部の上部を支持するアーム部がそれぞれ設けられ、前記アーム部は前記下ケースの左右の側壁まで延設されている構成としたので、即ち、フィルタ支持板を下ケースとは別体に形成して下ケースに組み付けているので、下ケースを射出成形用の成形金型に前後方向へのスライド機構を設ける必要がなく、成形金型の構造を簡単にできる。
【００４２】
しかも、前記アーム部を前記下ケースの左右の側壁まで延設した構成としたので、フィルタ支持板とアーム部により隔壁部を全幅にわたって補強できると共に、下ケースの側壁をフィルタ支持板とアーム部で補強支持できる。
【図面の簡単な説明】
【図１】この発明にかかる電気掃除機の断面図である。
【図２】図１に示した電気掃除機の集塵室カバー及び上ケースを取り外した状態の平面図である。
【図３】(a)は図２のＡ−Ａ線に沿う断面図、(b)は図２のＢ−Ｂ線に沿う断面図である。
【図４】図２のシール部材を取り外した状態の平面図である。
【図５】(a)は図４のＣ−Ｃ線に沿う断面図、(b)は(a)のＦ−Ｆ線に沿う断面図である。
【図６】図５の分解斜視図である。
【図７】図６のＤ−Ｄ線に沿う断面図である。
【図８】図７のフィルタ支持板を除いた状態の平面図である。
【図９】図１のシール壁の正面図である。
【図１０】図５のＥ−Ｅ線に沿う断面図である。
【図１１】(a)は図１に示したフィルタ支持板の背面図、(b)は(a)のＦ−Ｆ線に沿う断面図、(c)は(a)の左側面図である。
【符号の説明】
２…下ケース
２ｂ，２ｃ…側壁
３…集塵室カバー
４…上ケース
５…隔壁
６…集塵室用凹部
７…送風機室用凹部
１１…左隔壁部
１２…右隔壁部
１４…フィルタ支持板
１６，１７…補強リブ
２１，２２…アーム部
２１ａ，２２ａ…支持面（シール受部）
２３…シール部材
【図１】
0003660090.tif 000002
【図２】
0003660090.tif 000003
【図３】
0003660090.tif 000004
【図４】
0003660090.tif 000005
【図５】
0003660090.tif 000006
【図６】
0003660090.tif 000007
【図７】
0003660090.tif 000008
【図８】
0003660090.tif 000009
【図９】
0003660090.tif 000010
【図１０】
0003660090.tif 000011
【図１１】
0003660090.tif 000012